(57)【要約】【課題】運搬時に使用可能な照明装置を備える卓上切断機を提供する。【解決手段】ベース１の内部空間には、電池ボックス収容部１ａが設けられる。電池ボックス収容部１ａには、電池ボックス１８が収容される。電池ボックス１８は、ボルト１９を締め付けることで電池ボックス収容部１ａ内での位置が固定される。電池ボックス１８は、複数のバッテリ１７を着脱可能に収容する。バッテリ１７は、電池ボックス１８に収容された状態で、第１の照明装置１５及び第２の照明装置１６に電力を供給可能である。【選択図】図１
2016010827.tif 000002
【特許請求の範囲】
【請求項１】
被加工材を載置可能な載置面を有するベース部と、
モータを収容し、前記モータの駆動力により回転する切断刃を回転可能に支持する切断部と、
前記切断部を前記ベース部に近接・離間するように揺動可能に支持するホルダ部と、
前記モータへ電力を供給するための電源コードと、
前記電源コードからの電力により駆動可能な照明装置とを有する卓上切断機であって、
前記照明装置への電力供給を可能とするバッテリを設けたことを特徴とする卓上切断機。
【請求項２】
前記照明装置は、フレキシブルシャフトを介して前記切断部、前記ホルダ部又は前記ベース部に接続されており、前記切断刃周辺に光を照射可能であると共に、前記ベース部下方に光を照射可能であることを特徴とする請求項１に記載の卓上切断機。
【請求項３】
前記電源コードから入力される交流電圧を直流電圧に変換する電圧変換手段を有することを特徴とする請求項１又は２に記載の卓上切断機。
【請求項４】
前記電圧変換手段と前記照明装置との間に、前記照明装置に前記バッテリと前記電圧変換手段のいずれを接続するかを選択する切替えスイッチを設けたことを特徴とする請求項３に記載の卓上切断機。
【請求項５】
被加工材を載置可能な載置面を有するベース部と、
モータを収容し、前記モータの駆動力により回転する切断刃を回転可能に支持する切断部と、
前記切断部を前記ベース部に近接・離間するように揺動可能に支持するホルダ部と、
前記ベース部に設けられ、前記ベース部下方に光を照射可能な照明装置と、
前記照明装置への電力供給を可能とするバッテリとを有することを特徴とする卓上切断機。
【請求項６】
前記卓上切断機が平面上に置かれているときに前記バッテリから前記照明装置への電力供給を遮断する遮断スイッチを有することを特徴とする請求項５に記載の卓上切断機。
【請求項７】
前記ベース部に前記バッテリから前記照明装置への電力供給の有無を切り替える操作スイッチを設けたことを特徴とする請求項５又は６に記載の卓上切断機。
【請求項８】
前記操作スイッチが位置保持型のスイッチである請求項７に記載の卓上切断機。
【請求項９】
前記バッテリは２次電池であることを特徴とする請求項１から８のいずれか一項に記載の卓上切断機。
【発明の詳細な説明】
【技術分野】
【０００１】
本発明は、丸鋸刃等の切断工具によって被切断材を切断する、照明付きの卓上切断機に関する。
【背景技術】
【０００２】
卓上切断機は、一般に、ベース部と、前記ベース部に揺動可能に支持された切断部（丸鋸部）とを備える。切断部は、丸鋸刃等の切断工具を回転駆動する電動機を有する。電動機は、商用電源等の外部交流電源からの供給電力で動作する。使用者は、切断工具を回転駆動している切断部を下方に揺動させ、ベース部に載置された被切断材を切断する。作業時の手元の被切断材を照らす照明装置を備える卓上切断機も存在する。
【先行技術文献】
【特許文献】
【０００３】
【特許文献１】特開２０１２−１５７９３１号公報
【発明の概要】
【発明が解決しようとする課題】
【０００４】
従来の卓上切断機では、照明装置は外部交流電源への接続時のみ点灯可能であり、例えば運搬時には照明装置を使うことができない。また、重量のある卓上切断機は両手で運搬することもあり、そうした場合は別途照明器具を持つことができない。そのため、従来の卓上切断機では、暗い場所での運搬時に明るさを確保するのが困難であった。
【０００５】
本発明はこうした状況を認識してなされたものであり、その目的は、運搬時に使用可能な照明装置を備える卓上切断機を提供することにある。
【課題を解決するための手段】
【０００６】
本発明のある態様は、卓上切断機である。この卓上切断機は、
被加工材を載置可能な載置面を有するベース部と、
モータを収容し、前記モータの駆動力により回転する切断刃を回転可能に支持する切断部と、
前記切断部を前記ベース部に近接・離間するように揺動可能に支持するホルダ部と、
前記モータへ電力を供給するための電源コードと、
前記電源コードからの電力により駆動可能な照明装置とを有する卓上切断機であって、
前記照明装置への電力供給を可能とするバッテリを設けたことを特徴とする。
【０００７】
前記照明装置は、フレキシブルシャフトを介して前記切断部、前記ホルダ部又は前記ベース部に接続されており、前記切断刃周辺に光を照射可能であると共に、前記ベース部下方に光を照射可能であってもよい。
【０００８】
前記電源コードから入力される交流電圧を直流電圧に変換する電圧変換手段を有してもよい。
【０００９】
前記電圧変換手段と前記照明装置との間に、前記照明装置に前記バッテリと前記電圧変換手段のいずれを接続するかを選択する切替えスイッチを設けてもよい。
【００１０】
本発明のもう１つの態様は、卓上切断機である。この卓上切断機は、
被加工材を載置可能な載置面を有するベース部と、
モータを収容し、前記モータの駆動力により回転する切断刃を回転可能に支持する切断部と、
前記切断部を前記ベース部に近接・離間するように揺動可能に支持するホルダ部と、
前記ベース部に設けられ、前記ベース部下方に光を照射可能な照明装置と、
前記照明装置への電力供給を可能とするバッテリとを有することを特徴とする。
【００１１】
前記卓上切断機が平面上に置かれているときに前記バッテリから前記照明装置への電力供給を遮断する遮断スイッチを有してもよい。
【００１２】
前記ベース部に前記バッテリから前記照明装置への電力供給の有無を切り替える操作スイッチを設けてもよい。
【００１３】
前記操作スイッチが位置保持型のスイッチであってもよい。
【００１４】
前記バッテリは２次電池であってもよい。
【００１５】
なお、以上の構成要素の任意の組合せ、本発明の表現を方法やシステムなどの間で変換したものもまた、本発明の態様として有効である。
【発明の効果】
【００１６】
本発明によれば、運搬時に使用可能な照明装置を備える卓上切断機を提供することができる。
【図面の簡単な説明】
【００１７】
【図１】本発明の実施形態に係る卓上切断機の側面図。
【図２】前記卓上切断機の平面図。
【図３】前記卓上切断機の底面図。
【図４】図１のＡ部拡大図。
【図５】図３のＢ−Ｂ断面図。
【図６】前記卓上切断機の運搬イメージ図。
【図７】前記卓上切断機の照明装置への給電回路図。
【発明を実施するための形態】
【００１８】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１９】
図１は、本発明の実施形態に係る卓上切断機の側面図である。図２は、前記卓上切断機の平面図である。図３は、前記卓上切断機の底面図である。図４は、図１のＡ部拡大図である。図５は、図３のＢ−Ｂ断面図である。図６は、前記卓上切断機の運搬イメージ図である。図７は、前記卓上切断機の照明装置への給電回路図である。
【００２０】
本実施の形態の卓上切断機において、木材等の被切断材は、ベース部の上面に載置される。ベース部は、床面等に載置可能なベース１と、ベース１に埋設され、上面がベース１の上面とほぼ面一となるターンテーブル２とを有する。ターンテーブル２は、自身の上面に直交する不図示の回動軸を介して回動可能にベース１と連結される。ベース１には一対のフェンス３が設けられており、被切断材をフェンス３に当接させることにより、安定した切断作業を行うことができる。ターンテーブル２をベース１に対して回動させると、ターンテーブル２と連結された後述のホルダ５及び切断部１２のフェンス３に対する位置が変化する。これにより、フェンス３と丸鋸刃１４の側面との角度（上方から見た角度）が変化し、フェンス３に当接された被切断材を様々な角度で切断加工（角度切り）することができる。
【００２１】
ターンテーブル２の後方側（図１左側）端部付近には、ホルダ５が上方に立設される。ホルダ５は、切断工具（切断刃）としての丸鋸刃１４の側面及びターンテーブル２の上面とほぼ平行に延びた傾動軸４を介してターンテーブル２に接続される。傾動軸４を支点として、ホルダ５はターンテーブル２に対して傾動可能である。ターンテーブル２に対するホルダ５の傾動位置は、傾動規制手段を構成するクランプレバー６の操作によって固定される。すなわち、クランプレバー６の操作により、ターンテーブル２に対するホルダ５の傾動の固定及び固定解除が可能である。ホルダ５の傾動位置を変化させることで、ホルダ５と連結された切断部１２の傾動位置も変化し、被切断材の傾斜切断が可能となる。
【００２２】
ホルダ５には、丸鋸刃１４の側面と直交する方向に延びる揺動軸１１が固定され、揺動軸１１を介してホルダ５には切断部１２が連結される。揺動軸１１の外周には不図示のスプリングが設けられ、このスプリングによって切断部１２は、ベース部から丸鋸刃１４が離れる方向（上方）に揺動するよう付勢されており、通常時には図示しないストッパ機構によって最も上方（反ベース部側）に揺動した位置となる。一方、切断部１２の揺動位置は、運搬時等のために、不図示の固定ピン等により最も下方（ベース部側）に固定することもでき、図１及び図２は切断部１２を最も下方に揺動させた状態を示している。
【００２３】
切断部１２のハウジング２５は、駆動源となる不図示の電動モータを内蔵する。電動モータの回転は、不図示の回転伝達機構（プーリ及び伝達ベルト等）により丸鋸刃１４に伝達される。切断部１２の後端からは電源コード４０が引き出され、電源コード４０は、商用電源等の外部交流電源が供給されるコンセント５０に接続される。切断加工の際には、使用者は、ハンドル部２６を握って電動モータの回転、停止を制御するためのトリガスイッチ２７を引き、切断部１２を揺動軸１１を支点に下方（ベース部側）に揺動させる。すると、電動モータによって回転駆動されている丸鋸刃１４は、被切断材を切断しながらターンテーブル２に設けられた不図示の溝部内に侵入する。丸鋸刃１４が前記溝部内に所定量侵入すると不図示のストッパ機構によって切断部１２の揺動が止められる。
【００２４】
以下、本実施の形態の卓上切断機の照明装置について説明する。照明装置は、フレキシブルシャフト１５ａを介して切断部１２に接続されたＬＥＤ等の第１の照明装置１５と、ベース１に固定された（取り付けられた）ＬＥＤ等の第２の照明装置１６（図３）とを含む。第１の照明装置１５は、切断作業時に手元の被切断材を照らす作業用ライトであると共に、後述のバッテリ１７からの供給電力により運搬時に明るさを確保するライトとしても使用できる。第２の照明装置１６は、後述のバッテリ１７からの供給電力により運搬時にベース１から下方（足元や運搬先の設置面）を照らす運搬用ライトである。
【００２５】
ベース１の内部空間には、電池ボックス収容部１ａが設けられる。電池ボックス収容部１ａには、電池ボックス１８が収容される。電池ボックス１８は、ボルト１９を締め付けることで電池ボックス収容部１ａ内での位置が固定される。電池ボックス１８は、ボルト１９を緩めた状態で、水平方向にスライドしてベース１に対して着脱可能である。電池ボックス１８は、複数のバッテリ１７を着脱可能に収容する。バッテリ１７は、好ましくは二次電池とする。電池ボックス１８は、好ましくは充電機能を有し、電源コード４０からの供給電力によりバッテリ１７を充電可能である。バッテリ１７は、電池ボックス１８に収容された状態で、第１の照明装置１５及び第２の照明装置１６に電力を供給可能である。
【００２６】
切断部１２内には、一端が電源コード４０の基端と電気的に接続された交流電力供給配線７と、交流電力供給配線７の他端が接続された電圧変換手段としてのコンバータ３０とが設けられる。コンバータ３０は、交流電力供給配線７を通して供給される交流電力（交流電圧）を直流電力（直流電圧）に変換する。コンバータ３０からは、直流電力供給配線８が延びて切替スイッチ２０に接続される。交流電力供給配線７からは、充電用配線９が分岐する。充電用配線９は、切断部１２からホルダ５及びターンテーブル２を経由してベース１内の電池ボックス１８に接続される。一方、電池ボックス１８からは、電池電力供給配線１０が延びる。電池電力供給配線１０は、ベース１からターンテーブル２及びホルダ５を経由して切断部１２に設けられた切替スイッチ２０に接続される。切替スイッチ２０は、好ましくは位置保持型（オルタネイト方式）のスイッチであり、一端が第１の照明装置１５に接続され、他端は直流電力供給配線８もしくは電池電力供給配線１０に接続され又は開放される。すなわち、使用者は、切替スイッチ２０の操作により、第１の照明装置１５を消灯させるか、バッテリ１７の電力により点灯させるか、コンバータ３０からの供給電力（外部交流電源からの供給電力）により点灯させるかを選択可能である。
【００２７】
図４に示すように、ベース１の側面には、第２の照明装置１６の点灯、消灯を切り替える操作スイッチ２１が設けられる。操作スイッチ２１は、好ましくは位置保持型のスイッチである。ベース１の底面（接地面）には、遮断スイッチとしての接地スイッチ２２が設けられる。接地スイッチ２２は、好ましくは自動復帰型（モーメンタリ方式）のスイッチであり、卓上面等により押されているときはオフとなり、運搬時等の押されていないときはオンとなる。操作スイッチ２１及び接地スイッチ２２は、電池ボックス１８と第２の照明装置１６との間に直列接続されており（図７）、両スイッチが共にオンになると第２の照明装置１６が点灯する。
【００２８】
本実施の形態によれば、下記の効果を奏することができる。
【００２９】
(1) ベース１内に電池ボックス１８を設けてバッテリ１７を配設しており、第１の照明装置１５は、卓上切断機を外部交流電源に接続していなくてもバッテリ１７の電力により点灯可能であるため、運搬時にも第１の照明装置１５を使用することができる。特に、図６に示すような両手運搬時には別途照明器具を持つことができないが、そうした場合にも第１の照明装置１５により一定の明るさを確保できる。
【００３０】
(2) バッテリ１７の電力により点灯可能な第２の照明装置１６をベース１の下方に設けているため、卓上切断機を外部交流電源に接続していない運搬時には第２の照明装置１６を使用することができる。特に図６に示すような両手運搬時には別途照明器具を持つことができないが、そうした場合にも第２の照明装置１６により一定の明るさを確保できる。また、第２の照明装置１６は、運搬時に第１の照明装置１５と比較してベース１の下方（足元や運搬先の設置面）を照らしやすく、運搬の安全性が一層高められる。
【００３１】
(3) ベース１内の空洞部をバッテリ１７の収容スペースとして利用しているため、バッテリ１７を設けることにより卓上切断機が大型化することがない。
【００３２】
(4) ベース１の底面に接地スイッチ２２を設け、操作スイッチ２１及び接地スイッチ２２の双方がオンになると第２の照明装置１６が点灯する構成のため、使用者が操作スイッチ２１をオフし忘れても、卓上切断機を置けば接地スイッチ２２が押されてオフになり第２の照明装置１６は消灯し、消費電力の無駄を防止できる。
【００３３】
(5) 操作スイッチ２１は、図６に示すように卓上切断機を持った状態で操作可能なようにベース１の側面に配置されているため、卓上切断機を持ってから（運搬途中に）第２の照明装置１６を点灯させたくなった場合でも卓上切断機を下ろすことなく第２の照明装置１６を点灯させることができて便利である。
【００３４】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３５】
卓上切断機は、スライド式（切断部１２がホルダ５に対して傾動軸４と平行な方向にスライド可能なタイプ）であってもよい。照明装置は、第１の照明装置１５及び第２の照明装置１６のいずれかのみであってもよい。第１の照明装置１５は、フレキシブルシャフト１５ａを介して切断部１２以外の部分（ホルダ５又はベース部）に接続されてもよい。バッテリ１８は携帯用電動工具用の二次電池であっても良く、その場合はバッテリ取り付け用の端子を本体に設ければよい。電池ボックス１８に充電機能を設けなくてもよく、その場合はバッテリ１７は一次電池であってもよい。
【符号の説明】
【００３６】
１  ベース、１ａ  電池ボックス収容部、２  ターンテーブル、３  フェンス、４  傾動軸、５  ホルダ、６  クランプレバー、７  交流電力供給配線、８  直流電力供給配線、９  充電用配線、１０  電池電力供給配線、１１  揺動軸、１２  切断部（丸鋸部）、１４  丸鋸刃（切断刃）、１５  第１の照明装置、１５ａ  フレキシブルシャフト、１６  第２の照明装置、１７  バッテリ（二次電池）、１８  電池ボックス（充電器）、１９  ボルト、２０  切替スイッチ、２１  操作スイッチ、２２  接地スイッチ（遮断スイッチ）、２５  ハウジング、２６  ハンドル部、２７  トリガスイッチ、３０  コンバータ（電圧変換手段）、４０  電源コード、５０  コンセント
【図１】
2016010827.tif 000003
【図２】
2016010827.tif 000004
【図３】
2016010827.tif 000005
【図４】
2016010827.tif 000006
【図５】
2016010827.tif 000007
【図６】
2016010827.tif 000008
【図７】
2016010827.tif 000009